(57)【要約】【課題】一人では寝返りできない、起き上がれない、立てない障害を有する患者がリハビリを行うときの寝返り練習中における各種データを記録して、練習状況を定量的に把握することができる寝返り練習器を提供すること。【解決手段】体の下に配設される感圧検知ユニット１と、この感圧検知ユニット１の感圧信号の有無を検出するコントローラ２とを備える。【選択図】図１
2005058345.tif 000002
【特許請求の範囲】
【請求項１】
体の下に配設される感圧検知ユニットと、該感圧検知ユニットの感圧信号の有無を検出するコントローラとを備えたことを特徴とする寝返り練習器。
【請求項２】
複数個の感圧検知ユニットを平面状に配設し、各感圧検知ユニットごとに感圧信号の有無を検出可能とするとともに、コントローラが、特定の感圧検知ユニットを指定して該感圧検知ユニットの感圧信号の有無を検出するようにしたことを特徴とする請求項１記載の寝返り練習器。
【請求項３】
感圧検知ユニットの感圧信号の時刻歴を演算し、記録するとともに、演算結果を表示する演算装置を設けたことを特徴とする請求項１又は２記載の寝返り練習器。
【発明の詳細な説明】
【技術分野】
【０００１】
本発明は、寝返り練習器に関し、特に、寝返りの姿勢中にどの部分が浮いているかを正確に検出し、患者自身や医者等が練習状況を定量的に把握できるようにした寝返り練習器に関するものである。
【背景技術】
【０００２】
寝たきりの患者の寝返り動作や寝返り練習は、高齢者や足腰の不自由な人、脳卒中や糖尿病などを患った人、膝関節の手術後の患者等（以下、練習者という）に対して、ベッドにおける寝た姿勢から日常動作、例えば坐位への変更、排泄時の移動、食事、車椅子への移乗をする上において、また、歩行練習前の基本動作の練習、ひいては社会復帰を果たすために大変重要である。
【０００３】
このような患者の最終ゴールは個々人異なるが、たとえ最終ゴールが車椅子生活であっても、寝返りは、褥瘡の防止の観点から大変重要な動作であり、また上肢を使っての寝返り動作ができなければ上述のような日常生活を一人でこなすことはほとんど不可能と言われている。
特に、一人で歩行できることが最終ゴールの患者におけるリハビリ過程においては、ベッドなどで寝た状態からの体位を浮かすことからまず始め、次に、坐位から立ち上がりの練習を行い、車椅子への移乗、さらに車椅子からの立ち上がりの練習を行い、平行棒による歩行練習の後、最後は杖歩行や独立歩行に移行する過程を経る。
【発明の開示】
【発明が解決しようとする課題】
【０００４】
しかしながら、上記従来の寝返り練習では、体位が浮いているかどうかを補助者に頼るか、本人の自覚症状以外には判断の方法がなく、特に半身麻痩の患者や脊髄損傷により全身が麻痺している患者においては、自らの力の入り具合がほとんど分からず、体のどこが浮いたのか自ら判断することができないという問題がある。
すなわち、従来の寝返り練習では、このように寝返りの姿勢中に体位が浮いているかどうかを解析する手段がなく、患者にとっても医者や理学療法士においても、外見上で見る以外には練習状況や回復状況の総合的かつ定量的な把握ができないという問題があった。
【０００５】
本発明は、上記従来の寝返り練習器が有する問題点に鑑み、脳卒中や糖尿病を患った人や膝関節の手術後の患者など、一人では寝返りできない、起き上がれない、立てない障害を有する患者がリハビリを行うときの寝返り練習中における各種データを記録して、練習状況を定量的に把握することができる寝返り練習器を提供することを目的とする。
【課題を解決するための手段】
【０００６】
上記目的を達成するため、本発明の寝返り練習器は、体の下に配設される感圧検知ユニットと、該感圧検知ユニットの感圧信号の有無を検出するコントローラとを備えたことを特徴とする。
【０００７】
この場合において、複数個の感圧検知ユニットを患者の身長に合わせて平面状に配設し、各感圧検知ユニット毎に感圧信号の有無を検出可能とするとともに、コントローラが、特定の感圧検知ユニットを指定して該感圧検知ユニットの感圧信号の有無を検出するようにすることができる。
【０００８】
また、感圧検知ユニットの感圧信号の時刻歴を演算し、記録するとともに、演算結果を表示する演算装置を設けることができる。
【発明の効果】
【０００９】
本発明の寝返り練習器によれば、体の下に配設される感圧検知ユニットと、該感圧検知ユニットの感圧信号の有無を検出するコントローラとを備えることから、特に、寝たきりの患者における体位変更時（寝返り時）や、ベッドから起き上がるときや、坐位において上肢を下に押すことにより体位を浮かすときなどにおいて、体のどこが浮いているかなどの空間的な位置や、いつ浮いたかなどの時間的な感圧情報を、表示装置や発信音等により医者や練習者自身が確認することができる。
【００１０】
また、複数個の感圧検知ユニットを平面状に配設し、各感圧検知ユニット毎に感圧信号の有無を検出可能とするとともに、コントローラが、特定の感圧検知ユニットを指定して該感圧検知ユニットの感圧信号の有無を検出するようにすることにより、体の寝返りをより正確に把握したり、寝返り部位を順次変えて検査することができる。
【００１１】
また、感圧検知ユニットの感圧信号の時刻歴を演算し、記録するとともに、演算結果を表示する演算装置を設けることにより、寝返り練習中における各種データを記録して、練習状況を定量的に把握することができる。
【発明を実施するための最良の形態】
【００１２】
以下、本発明の寝返り練習器の実施の形態を、図面に基づいて説明する。
【実施例１】
【００１３】
図１〜図３に、本発明の寝返り練習器の一実施例を示す。
この寝返り練習器は、体の下に配設される感圧検知ユニット１と、該感圧検知ユニット１の感圧信号の有無を検出するコントローラ２とを備え、複数個の感圧検知ユニット１を平面状に配設し、各感圧検知ユニット１毎に感圧信号の有無を検出可能とするとともに、コントローラ２が、特定の感圧検知ユニット１を指定して該感圧検知ユニット１の感圧信号の有無を検出するようになっている。
そして、この寝返り練習器は、感圧検知ユニット１の感圧信号の時刻歴を演算し、記録するとともに、演算結果を表示する演算装置３を設けている。
ることができる。
【００１４】
感圧検知ユニット１は、荷重の有無を検知することにより、練習者の寝返り部位が浮いたか否かを判別するもので、感圧素子等を用いて構成されている。
また、本実施例では、複数の感圧検知ユニット１をベッドの大きさに行列状に配置しているが、１つの感圧検知ユニット１を単独で使用することも可能であり、その場合は、測定する寝返り部位の下に置いて使用する。
【００１５】
コントローラ２は、感圧検知ユニット１と同じように配列されたユニット状のボタン２１を備え、各々のボタン２１を押すことにより、特定の感圧検知ユニット１を指定して該感圧検知ユニット１の感圧信号の有無を検出するようになっている。
コントローラ２の各ボタン２１は、押す毎にＯＮ、ＯＦＦとなり、ＯＮのときには、該当する感圧検知ユニット１が荷重なしのときにスピーカー２２から音を出し、荷重ありのときには音は出さない。
また、音と共に、光モードも採用することができ、この場合は、ＯＮのときには、該当する感圧検知ユニット１が荷重なしのときに赤く発光し、荷重ありのときには黄色の点灯を表示する。
なお、ボタン２１がＯＦＦのときは、いずれの場合も、該当する感圧検知ユニット１との接続が切れ無反応となる。
なお、図２において、２３はメインスイッチ、２４は音量調節スイッチ、２５は音色の切換スイッチ、２６はスタート／ストップスイッチ、２７はバッテリー、２８は接続コネクタをそれぞれ示している。
【００１６】
この寝返り練習器の使用方法は、例えば、図３に示すように、コントローラ２により動作条件の設定を行った後、コントローラ２のボタン２１を順次操作し、寝返りを感圧検知ユニット１を介して順次テスト又は練習する。
【００１７】
かくして、本実施例の寝返り練習器は、体の下に配設される感圧検知ユニット１と、該感圧検知ユニット１の感圧信号の有無を検出するコントローラ２とを備えることから、特に、寝たきりの患者における体位変更時（寝返り時）や、ベッドから起き上がるときや、坐位において上肢を下に押すことにより体位を浮かすときなどにおいて、体のどこが浮いているかなどの空間的な位置や、いつ浮いたかなどの時間的な感圧情報を、表示装置や発信音等により医者や練習者自身が確認することができる。
また、複数個の感圧検知ユニット１を平面状に配設し、各感圧検知ユニット１毎に感圧信号の有無を検出可能とするとともに、コントローラ２が、特定の感圧検知ユニット１を指定して該感圧検知ユニット１の感圧信号の有無を検出するようにすることにより、体の寝返りをより正確に把握したり、寝返り部位を順次変えて検査することができる。
そして、感圧検知ユニット１の感圧信号の時刻歴を演算し、記録するとともに、演算結果を表示する演算装置を設けることにより、寝返り練習中における各種データを記録して、練習状況を定量的に把握することができる。
【００１８】
以上、本発明の寝返り練習器について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができる。
【産業上の利用可能性】
【００１９】
以上、本発明の寝返り練習器は、体の下に配設される感圧検知ユニットの感圧信号の有無をコントローラにより検出するという特性を有していることから、寝返りの用途に好適に用いることができるほか、例えば、その他のリハビリの用途にも用いることができる。
【図面の簡単な説明】
【００２０】
【図１】本発明の寝返り練習器の一実施例を示す平面図である。
【図２】コントローラの平面図である。
【図３】寝返り練習器のプログラムの一例を示すチャート図である。
【符号の説明】
【００２１】
１    感圧検知ユニット
２    コントローラ
２１  ボタン
２２  スピーカー
２３  メインスイッチ
２４  音量調節スイッチ
２５  音色切換スイッチ
２６  スタート／ストップスイッチ
２７  バッテリー
２８  接続コネクタ
３    演算装置
【図１】
2005058345.tif 000003
【図２】
2005058345.tif 000004
【図３】
2005058345.tif 000005